(57)【要約】【課題】高感度な人血検査方法を提供すること。【解決手段】被験試料を前処理して前処理試料を得る前処理工程と、前処理試料中のヒトヘモグロビンを検出する検出工程と、ヒトヘモグロビンが検出された場合に、被験試料が人血であると判定する判定工程と、を備え、前処理が、被験試料に第３級ホスフィンを含む前処理液を添加するステップと、前処理液を添加した被験試料にリン酸又はその塩を含む希釈液を添加して前処理試料を得るステップと、を含む、人血検査方法。【選択図】なし【特許請求の範囲】
【請求項１】
被験試料を前処理して前処理試料を得る前処理工程と、
前記前処理試料中のヒトヘモグロビンを検出する検出工程と、
ヒトヘモグロビンが検出された場合に、被験試料が人血であると判定する判定工程と、を備え、
前記前処理が、
前記被験試料に第３級ホスフィンを含む前処理液を添加するステップと、
前処理液を添加した被験試料にリン酸又はその塩を含む希釈液を添加して前処理試料を得るステップと、を含む、人血検査方法。
【請求項２】
前記第３級ホスフィンがトリス(２−カルボキシエチル)ホスフィン又はその塩である請求項１に記載の方法。
【請求項３】
前記前処理液が、更にアルギニン又はその塩を含むものである、請求項１又は２に記載の方法。
【請求項４】
前記前処理液が、更にグアニジン塩を含むものである、請求項１〜３のいずれか一項に記載の方法。
【請求項５】
第３級ホスフィンを含む前処理液と、
リン酸又はその塩を含む希釈液と、を含む人血検査用キット。
【請求項６】
前記第３級ホスフィンがトリス(２−カルボキシエチル)ホスフィン又はその塩である請求項５に記載のキット。
【請求項７】
前記前処理液が、更にアルギニン又はその塩を含むものである、請求項５又は６に記載のキット。
【請求項８】
前記前処理液が、更にグアニジン塩を含むものである、請求項５〜７のいずれか一項に記載のキット。
【発明の詳細な説明】
【技術分野】
【０００１】
本発明は、人血検査方法に関する。本発明はまた人血検査用キットにも関する。
【背景技術】
【０００２】
現在、高い精度で個人を特定できるＤＮＡ型鑑定が犯罪捜査には活用されているが、人血証明など、検出されるＤＮＡ型の由来を明らかにしておくことが、犯罪を立証する上で不可欠である。
【０００３】
犯罪現場において、ヒト血液は、その視認性から採取されやすい試料の一つであり、犯罪捜査上、個人を決定付ける貴重な証拠である。そのため、試料がヒト血液であると疑われる場合、ヒトヘモグロビンを検出する方法で人血の証明を行っている（非特許文献１〜３）。しかしながら、例えば、陳旧血痕や加熱血液、薬剤に晒された血液等、ヒトヘモグロビンが変性した場合には、人血の証明が困難な場合があった（非特許文献４）。
【先行技術文献】
【非特許文献】
【０００４】
【非特許文献１】法科学技術，２０１４年，１９巻（２号），ｐｐ．１０３−１１０
【非特許文献２】法科学技術，２００６年，１１巻（１号），ｐｐ．９−１８
【非特許文献３】鑑識科学，２００４年，９巻（２号），ｐｐ．１４３−１４９
【非特許文献４】鑑識科学，２００３年，７巻（２号），ｐｐ．１５９−１６５
【発明の概要】
【発明が解決しようとする課題】
【０００５】
本発明は、高感度な人血検査方法を提供することを目的とする。また、本発明は、高感度な人血検査用キットを提供することを目的とする。
【課題を解決するための手段】
【０００６】
本発明は、被験試料を前処理して前処理試料を得る前処理工程と、上記前処理試料中のヒトヘモグロビンを検出する検出工程と、ヒトヘモグロビンが検出された場合に、被験試料が人血であると判定する判定工程と、を備え、上記前処理が、上記被験試料に第３級ホスフィンを含む前処理液を添加するステップと、前処理液を添加した被験試料にリン酸又はその塩を含む希釈液を添加して前処理試料を得るステップと、を含む、人血検査方法を提供する。
【０００７】
本発明に係る人血検査方法は、第３級ホスフィンを含む前処理液を添加するステップと、前処理液を添加した被験試料にリン酸又はその塩を含む希釈液を添加して前処理試料を得るステップと、を含むため、ヒトヘモグロビンの検出感度が高い。そのため、高感度な人血検査が可能になる。
【０００８】
上記第３級ホスフィンは、公知のものから適宜選択することができる。その具体例としては、トリス(２−カルボキシエチル)ホスフィン、トリス（ヒドロキシメチル）ホスフィン）、トリス（２−ヒドロキシエチル）ホスフィン、トリス（３−ヒドロキシプロピル）ホスフィン及びこれらの塩等が挙げられ、特にトリス(２−カルボキシエチル)ホスフィン又はその塩が好ましい。これにより、ヒトヘモグロビンの検出感度がより高くなる。
【０００９】
上記前処理液は、更にアミノ酸又はその塩を含むものであってもよい。これにより、被験試料に汗等の血液以外の体液が混在することによるヒトヘモグロビンの検出感度の低下を防止することができる。
【００１０】
上記アミノ酸又はその塩は、公知のものから適宜選択することができる。その具体例としては、アルギニン、リジン又はこれらの塩等が挙げられ、特にアルギニン又はその塩が好ましい。
【００１１】
また、上記前処理液は、更にカオトロピック剤を含むものであってもよい。これにより、変性した人血であっても、ヒトヘモグロビンの検出感度が高くなる。
【００１２】
上記カオトロピック剤は、公知のものから適宜選択することができる。その具体例としては、グアニジン塩、尿素、チオシアン酸塩等が挙げられ、特にグアニジン塩が好ましい。
【００１３】
本発明は、第３級ホスフィンを含む前処理液と、リン酸又はその塩を含む希釈液と、を含む人血検査用キットを提供する。
【００１４】
本発明に係る人血検査用キットによれば、高感度な人血検査が可能になる。
【００１５】
本発明に係る人血検査用キットに含まれる第３級ホスフィンは、公知のものから適宜選択することができる。その具体例としては、トリス(２−カルボキシエチル)ホスフィン、トリス（ヒドロキシメチル）ホスフィン）、トリス（２−ヒドロキシエチル）ホスフィン、トリス（３−ヒドロキシプロピル）ホスフィン等が挙げられ、特にトリス(２−カルボキシエチル)ホスフィン又はその塩であることが好ましい。これにより、ヒトヘモグロビンの検出感度がより高くなる。
【００１６】
本発明に係る人血検査用キットに含まれる前処理液は、アミノ酸又はその塩を含むものであってもよい。これにより、被験試料に汗等の血液以外の体液が混在することによるヒトヘモグロビンの検出感度の低下を防止することができる。
【００１７】
上記アミノ酸又はその塩は、公知のものから適宜選択することができる。その具体例としては、アルギニン、リジン又はこれらの塩等が挙げられ、特にアルギニン又はその塩が好ましい。
【００１８】
また、本発明に係る人血検査用キットに含まれる前処理液は、更にカオトロピック剤を含むものであることが好ましい。これにより、変性した人血であっても、ヒトヘモグロビンの検出感度が高くなる。
【００１９】
上記カオトロピック剤は、公知のものから適宜選択することができる。その具体例としては、グアニジン塩、尿素、チオシアン酸塩等が挙げられ、特にグアニジン塩が好ましい。
【発明の効果】
【００２０】
本発明によれば、高感度な人血検査方法が提供される。また、本発明によれば、高感度な人血検査用キットが提供される。本発明の人血検査方法及び人血検査用キットは、ＤＮＡ型鑑定の予備検査である人獣鑑別に好適に用いることができる。
【発明を実施するための形態】
【００２１】
以下、本発明を実施するための形態について詳細に説明する。なお、本発明は、以下の実施形態に限定されるものではない。
【００２２】
〔人血検査方法〕
本実施形態に係る人血検査方法は、被験試料を前処理して前処理試料を得る前処理工程と、前処理試料中のヒトヘモグロビンを検出する検出工程と、ヒトヘモグロビンが検出された場合に、被験試料が人血であると判定する判定工程と、を備え、前処理が、被験試料に第３級ホスフィンを含む前処理液を添加するステップと、前処理液を添加した被験試料にリン酸又はその塩を含む希釈液を添加して前処理試料を得るステップと、を含む、人血検査方法である。
【００２３】
本明細書において、「人血検査」は、被験試料中に人に由来する血液が含まれるか否かを検査することを意味する。被験試料から、ヒトヘモグロビンが検出された場合、被験試料が人血であると判断される。
【００２４】
人血検査方法の感度が高いとは、被験試料に含まれるヒトヘモグロビンをより実際の濃度に近い濃度で検出できることを意味する。例えば、同じ被験試料に対して、複数の人血検査方法を実施し、より高濃度にヒトヘモグロビンが検出された人血検査方法をより感度が高い人血検査方法であると判断することができる。
【００２５】
被験試料は、例えば、血液又は血液と疑われる試料、血痕又は血痕と疑われる試料が挙げられる。本実施形態に係る人血検査方法を適用し得る人血は、出血部位に影響するものではなく、例えば、喀血、吐血、下血、鼻血、月経血、分娩血、胎児血、生体血等が挙げられる。
【００２６】
また、本実施形態に係る人血検査方法は、乾燥血痕、覚せい剤処理血痕、陳旧血痕、加熱処理血液等の従来の方法では、ヒトヘモグロビンの検出が困難であった被験試料においても、充分な感度でヒトヘモグロビンの検出が可能である。したがって、被験試料としては、乾燥血痕、覚せい剤処理血痕、陳旧血痕、加熱処理血液等の血痕、又はそれと疑われる試料が好ましい。
【００２７】
本明細書において、「覚せい剤処理血痕」とは、覚せい剤（メタンフェタミン塩酸塩）と混和した血液に由来する血痕を意味する。血液は覚せい剤の影響により、変性することが知られている。また、本明細書における覚せい剤処理血痕には、例えばメトキシフェナミン塩酸塩等、メタンフェタミン類縁体によって変性を受けた血痕も含まれる。
【００２８】
本実施形態に係る人血検査方法は、以下、「前処理希釈法」ともいう。
【００２９】
〔前処理工程〕
前処理工程は、被験試料を前処理して前処理試料を得る工程である。
【００３０】
前処理工程は、被験試料に第３級ホスフィンを含む前処理液を添加するステップと、前処理液を添加した被験試料にリン酸又はその塩を含む希釈液を添加して前処理試料を得るステップと、を含む。
【００３１】
（前処理液）
前処理液は、第３級ホスフィンを含むものである。第３級ホスフィンを含む前処理液を添加することにより、変性したヒトヘモグロビンを前処理液に溶解することができる。
【００３２】
第３級ホスフィンとしては、例えば、トリス(２−カルボキシエチル)ホスフィン（以下、「ＴＣＥＰ」ともいう。）、トリス（ヒドロキシメチル）ホスフィン）、トリス（２−ヒドロキシエチル）ホスフィン、トリス（３−ヒドロキシプロピル）ホスフィン、及びこれらの塩等が挙げられる。これらは、一種を単独であってもよく、二種以上を組み合わせて用いてもよい。
【００３３】
ＴＣＥＰの塩としては、例えば、無機若しくは有機酸（例えば、塩酸塩、硫酸塩、硝酸塩、臭化水素酸塩、メタンスルホン酸塩、トルエンスルホン酸塩等）との塩並びに、無機若しくは有機塩基［例えば、アンモニウム塩；アルカリ金属（ナトリウム、カリウム等）、アルカリ土類金属（カルシウム、マグネシウム等）、アルミニウム等の金属、メチルアミン、トリエチルアミン、トリエタノールアミン、モルホリン等］との塩が挙げられる。
【００３４】
第３級ホスフィンは、検出感度及び水溶性の点から、ＴＣＥＰ又はその塩であることが好ましく、ＴＣＥＰ塩酸塩であることがより好ましい。
【００３５】
前処理液に含まれる第３級ホスフィンの濃度は、前処理液中における濃度として、特に制限されないが、１ｍｍｏｌ／Ｌ以上であることが好ましく、１ｍｍｏｌ／Ｌ〜２００ｍｍｏｌ／Ｌであることがより好ましく、２ｍｍｏｌ／Ｌ〜１００ｍｍｏｌ／Ｌであることがさらに好ましく、５ｍｍｏｌ／Ｌ〜５０ｍｍｏｌ／Ｌであることがさらにより好ましく、１５ｍｍｏｌ／Ｌ〜３０ｍｍｏｌ／Ｌであることがさらによりまた好ましい。
【００３６】
前処理液は、更にアミノ酸又はその塩含むものであってもよい。これにより、被験試料に汗等の血液以外の体液が混在することによるヒトヘモグロビンの検出感度の低下を防止することができる。
【００３７】
上記アミノ酸又はその塩は、公知のものから適宜選択することができる。その具体例としては、アルギニン、リジン又はこれらの塩等が挙げられ、特にアルギニン又はその塩が好ましい。これらは、一種を単独で用いてもよく、二種以上を組み合わせて用いてもよい。
【００３８】
アミノ酸の塩として、具体的には、例えば、塩酸塩等の無機酸塩等が挙げられる。なお、アミノ酸及びその塩は、Ｄ体、Ｌ体、ＤＬ体のいずれであってもよい。
【００３９】
前処理液に含まれるアミノ酸又はその塩は、前処理液中における濃度としては、特に制限されないが、１ｍｍｏｌ／Ｌ以上であることが好ましく、１ｍｍｏｌ／Ｌ〜１０００ｍｍｏｌ／Ｌであることがより好ましく、１０ｍｍｏｌ／Ｌ〜５００ｍｍｏｌ／Ｌであることがさらに好ましく、２０ｍｍｏｌ／Ｌ〜２００ｍｍｏｌ／Ｌであることがさらにより好ましく、４０ｍｍｏｌ／Ｌ〜２００ｍｍｏｌ／Ｌであることがさらによりまた好ましい。
【００４０】
また、前処理液は、更にカオトロピック剤を含むものであってもよい。これにより、変性した人血であっても、ヒトヘモグロビンの検出感度が高くなる。
【００４１】
上記カオトロピック剤は、公知のものから適宜選択することができる。その具体例としては、グアニジン塩、尿素、チオシアン酸塩等が挙げられ、特にグアニジン塩が好ましい。これらは、一種を単独で用いてもよく、二種以上を組み合わせて用いてもよい。
【００４２】
グアニジン塩として、具体的には、例えば、塩酸、硫酸、チオシアン酸との塩が挙げられる。グアニジン塩としては、検出感度向上の点から、グアニジン塩酸塩であることが好ましい。
【００４３】
チオシアン酸塩としては、アルカリ金属塩、アルカリ土類金属塩、アンモニウム塩等が挙げられる。
【００４４】
前処理液に含まれるグアニジン塩は、前処理液中における濃度としては、特に制限されないが、０．１ｍｏｌ／Ｌ以上であることが好ましく、０．１ｍｏｌ／Ｌ〜５０ｍｏｌ／Ｌであることがより好ましく、０．５ｍｏｌ／Ｌ〜２０ｍｏｌ／Ｌであることがさらに好ましく、１ｍｏｌ／Ｌ〜１０ｍｏｌ／Ｌであることがさらにより好ましい。
【００４５】
前処理液は、緩衝剤を含む緩衝液であることが好ましい。緩衝剤としては例えば、ホウ酸緩衝剤、炭酸緩衝剤、クエン酸緩衝剤、酢酸緩衝剤、トリス緩衝剤、グッド緩衝剤が挙げられる。グッド緩衝剤としては、例えば、２−モルホリノエタンスルホン酸（ＭＥＳ）、２−［４−（２−ヒドロキシエチル）−１−ピペラジニル］エタンスルホン酸（ＨＥＰＥＳ）、ピペラジン−１，４−ビス（２−エタンスルホン酸）（ＰＩＰＥＳ）等が挙げられる。これらの緩衝剤は１種単独で使用してもよく、また２種以上を任意に組み合わせて使用してもよい。
【００４６】
前処理液は、リン酸又はその塩を含まないことが好ましい。リン酸塩としては、リン酸アルカリ金属塩、リン酸アルカリ土類金属塩等が挙げられる。
【００４７】
前処理液のｐＨは２〜１１であればよく、好ましくはｐＨ５〜１０、より好ましくは、ｐＨ６〜８である。
【００４８】
（希釈液）
希釈液はリン酸又はその塩を含むものである。リン酸塩としては、リン酸アルカリ金属塩、リン酸アルカリ土類金属塩等が挙げられる。リン酸又はその塩を含む希釈液は、前処理試料を希釈する他、前処理試料中の未反応の第３級ホスフィンを不活性化するためにも用いられる。
【００４９】
希釈液のｐＨは２〜１１であればよく、好ましくはｐＨ５〜１０、より好ましくは、ｐＨ６〜８である。
【００５０】
希釈液は、更に公知の防腐剤及び安定化剤を含むことができる。
【００５１】
防腐剤としては、例えば、アジ化ナトリウム、パラオキシ安息香酸メチル、パラオキシ安息香酸プロピル等のパラベン等が挙げられる。防腐剤としては、アジ化ナトリウムが好ましい。希釈液がアジ化ナトリウムを含むと、本来の防腐作用のみならず、ヒトヘモグロビンの検出感度がより高くなる効果を奏する。
【００５２】
安定化剤としては、例えば、グルタミン酸ナトリウム等のアミノ酸、ウシ血清アルブミン（ＢＳＡ）等のタンパク質、スクロース、マルトース等の糖類、グルタチオン、ジチオスレイトール、メルカプトエタノール等の還元剤、グリセロール、ソルビトール等の多価アルコール、Ｔｗｅｅｎ８０、Ｂｒｉｊ３５等の界面活性剤、遷移金属のエチレンジアミン四酢酸錯体等の水溶性金属錯体、モリブデン等の遷移金属類、３−ヒドロキシ−２，２’−イミノジコハク酸等のイミノカルボン酸等が挙げられる。
【００５３】
希釈液は、更に、（２−メタクリロイルオキシエチルホスホリルコリン）モノマーを構造単位の１成分として有する共重合体［Ｌｉｐｉｄｕｒｅ（登録商標）シリーズ、日油株式会社製］を含むものであることが好ましい。Ｌｉｐｉｄｕｒｅシリーズを含むことにより高感度にヘモグロビンを検出できることができる。Ｌｉｐｉｄｕｒｅシリーズは、Ｌｉｐｉｄｕｒｅ  ＢＬ１２０１（商品名）、Ｌｉｐｉｄｕｒｅ  ＢＬ２０３（商品名）またはＬｉｐｉｄｕｒｅ  ＢＬ２０６（商品名）等が好ましい。
【００５４】
希釈液に含まれるＬｉｐｉｄｕｒｅシリーズは、希釈液中における濃度として、０．０００１〜１％であることが好ましく、０．０００５〜０．１％であることがより好ましく、０．００１〜０．０１％であることがさらにより好ましい。
【００５５】
希釈液は、前処理液の使用量に対して、１〜５００倍量用いることが好ましく、２〜１００倍量用いることがより好ましく、３〜５０倍量用いることが更に好ましく、３〜１０倍量用いることが更により好ましい。希釈液が前処理液の使用量に対して、上記範囲の量であることにより、人血の検出感度がより高くなる。
【００５６】
〔検出工程〕
検出工程は、前処理試料中のヒトヘモグロビンを検出する工程である。
【００５７】
ヒトヘモグロビンの検出には、抗ヒトヘモグロビン抗体を用いることができる。抗ヒトヘモグロビン抗体は、モノクローナル抗体であってもよい。また、ヒトヘモグロビン抗体は、キメラ抗体及びヒト化抗体等の遺伝子工学的に改変された抗体であってもよい。ヒトヘモグロビンの検出に用いられる抗ヒトヘモグロビン抗体は、２種以上が同時に用いられていてもよい。
【００５８】
検出工程には、公知のヒトヘモグロビン検出方法を用いることができる。例えば、イムノクロマトグラフィー法、ラテックス凝集法、金コロイド凝集法、酵素結合免疫吸着アッセイ（ＥＬＩＳＡ）等を用いたヒトヘモグロビンの検出方法が挙げられる。特に、ヒトヘモグロビンの検出には、イムノクロマトグラフィー法を用いたＯＣ−ヘモキャッチＳ‘栄研’（栄研化学社製、商品名）が好適に用いられる。
【００５９】
〔判定工程〕
判定工程は、検出工程においてヒトヘモグロビンが検出された場合に、被験試料が人血であると判定される。
【００６０】
〔人血検査用キット〕
本実施形態に係る人血検査方法に必要な各溶液は、予めパッケージングして、人血検査用キットとして利用できる。すなわち、人血検査用キットは、第３級ホスフィンを含む前処理液と、リン酸又はその塩を含む希釈液と、を含むものである。
【実施例】
【００６１】
以下、実施例に基づいて本発明をより具体的に説明する。ただし、本発明は、以下の実施例により限定されるものではない。
【００６２】
〔人血検査方法〕
（前処理希釈法：条件１）
被験試料を下記組成の前処理液Ａ中、室温で３０分反応させた。その後、下記組成の希釈液を添加し、室温で３０分静置後、免疫学的便ヘモグロビン検出試薬であるＯＣ−ヘモキャッチＳ‘栄研’（栄研化学社製、商品名）（以下、「ＨＣ−Ｓ」ともいう。）により、ヒトヘモグロビンの検出を行った。以下、「Ｍ」は、「ｍｏｌ／Ｌ」と同義であり、「ｍＭ」は、「ｍｍｏｌ／Ｌ」と同義である。
【００６３】
前処理液Ａ
５０ｍＭ  ＨＥＰＥＳ
２０ｍＭ  ＴＣＥＰ塩酸塩
【００６４】
希釈液
５０ｍＭ  リン酸緩衝液
０．０９５％  ＮａＮ３
０．３０％  ＢＳＡ
０．００５％  Ｌｉｐｉｄｕｒｅ  ＢＬ１２０１
【００６５】
（前処理希釈法：条件２）
前処理液Ａの代わりに下記組成の前処理液Ｂを用いること以外は、条件１と同様に、被験試料について、ヒトヘモグロビンの検出を行った。
【００６６】
前処理液Ｂ
５０ｍＭ  ＨＥＰＥＳ
２０ｍＭ  ＴＣＥＰ塩酸塩
３Ｍ  グアニジン塩酸塩
【００６７】
（対照）
被験試料にリン酸緩衝生理食塩水（ＰＢＳ）を添加し、室温で３０分静置した後、ＨＣ−Ｓにより、被験試料についてヒトヘモグロビンの検出を行った。
【００６８】
以下に、乾燥血痕、覚せい剤処理血痕、陳旧血痕、熱処理血痕、及び汗と混合した血痕について前処理希釈法を適用した結果を示した。
【００６９】
〔実施例１：乾燥血痕の検出〕
ヒト血液１μＬと精製水９μＬとを混合し、３７℃で３日間静置後、０〜６０日間乾燥させた。乾燥期間０日、３日、７日、３０日、６０日の試料を被験試料とし、前処理希釈法及び対照で人血検査を実施した。
【００７０】
ＨＣ−Ｓは、ヒトヘモグロビンが検出された場合、テストラインを形成する。ヒトヘモグロビン検出は、ＨＣ−Ｓに試料５０μＬを滴下して５分後に、イムノクロマトリーダーＣ１００６６−１０（浜松ホトニクス社製）を用いてテストラインを定量測定することにより評価した。表１は、被検試料を前処理液及び希釈液で１０万倍に希釈した場合の各検査方法でのヒトヘモグロビン測定値（ｎｇ／ｍＬ）を示した。
【００７１】
【表１】
2018072045.tif 000002
【００７２】
前処理希釈法では、対照と比べて、より高感度にヒトヘモグロビンが検出された。また、被験試料として乾燥血痕を用いた場合であっても、対照と比べて、前処理希釈法がより高感度であった。
【００７３】
〔実施例２：覚せい剤処理血痕の検出〕
ヒト血液１μＬと３３３ｍｇ／ｍＬの覚せい剤溶液（メタンフェタミン塩酸塩、以下、「ＭＡ」ともいう。）９μＬとを混合し、３７℃で３日間静置後、０〜６０日間乾燥させた。乾燥期間０日、３日、７日、３０日、６０日のＭＡ処理血痕を、前処理希釈法及び対照で人血検査を実施した。
【００７４】
ヒトヘモグロビンは、実施例１と同様に、ＨＣ−Ｓに試料５０μＬを滴下して５分後に、イムノクロマトリーダーＣ１００６６−１０（浜松ホトニクス社製）を用いてテストラインを定量測定することにより評価した。表２は、被検試料を前処理液及び希釈液で１０万倍に希釈した場合のＭＡ処理血痕中の各検査方法でのヒトヘモグロビン測定値（ｎｇ／ｍＬ）を示した。
【００７５】
【表２】
2018072045.tif 000003
【００７６】
ＭＡ処理した場合、前処理希釈法では、対照と比べて、より高感度にヒトヘモグロビンが検出された。また、前処理希釈法では前処理液にグアニジン塩酸塩を含むことにより、ＭＡ処理乾燥血痕においてさらに高感度にヒトヘモグロビンが検出された。
【００７７】
〔実施例３：陳旧血痕の検出〕
経過年数４年、１６年、２６年の陳旧血痕を被験試料として、前処理希釈法及び対照で人血検査を実施した。また、陳旧血痕である被験試料を５％アンモニア水で浸出、蒸発乾固させてＰＢＳに再懸濁させた後、対照と同様の手順でヒトヘモグロビンの検出を行った（この方法を「対照＋５％アンモニア水」ともいう。）。
【００７８】
ヒトヘモグロビン検出は、ＨＣ−Ｓに試料５０μＬを滴下して５分後にテストラインの有無を肉眼で観察することにより判定した。テストラインが形成した場合、ヒトヘモグロビンが検出されたことを意味し、テストラインが形成していない場合は、ヒトヘモグロビンが検出されなかったことを意味する。表中、「＋」はヒトヘモグロビンが検出されたことを示し、「−」はヒトヘモグロビンが検出されていないことを示す。表３は、同希釈率における陳旧血痕中のヒトヘモグロビン検出の可否を示した。
【００７９】
【表３】
2018072045.tif 000004
【００８０】
前処理希釈法では、経過年数２６年の陳旧血痕についてもヒトヘモグロビンが検出された。一方、対照では、経過年数１６年及び２６年の陳旧血痕ではヒトヘモグロビンは検出されず、アンモニア水を添加した場合であっても、経過年数２６年の陳旧血痕ではヒトヘモグロビンは検出されなかった。
【００８１】
〔実施例４：熱処理血液の検出〕
ＰＢＳにて１００倍に希釈した後、所定温度（２５℃、３７℃、５５℃、７０℃、８５℃、１００℃）で、３０分間熱処理した血液を被験試料とし、前処理希釈法と対照で人血検査を実施した。
【００８２】
ヒトヘモグロビンの検出は実施例３と同様に行った。表４は、５万倍希釈時の各種血液試料中のヒトヘモグロビン検出の可否を示した。
【００８３】
【表４】
2018072045.tif 000005
【００８４】
前処理希釈法では、熱処理温度が７０℃以上であっても、人血検査が可能であった。一方、対照では、７０℃以上の場合、ヒトヘモグロビンは検出されなかった。
【００８５】
〔実施例５：汗と混合した血痕の検出〕
汗１０μＬと、ＰＢＳにて１００倍に希釈したヒト血液０．１μＬとを混合して得られた試料を被験試料とし、前処理希釈法及び対照で、人血検査を実施した。また、前処理液に表５に示す所定の添加剤を添加すること以外は、前処理希釈法の条件１と同様の手順で、人血検査を実施した。添加剤としては、界面活性剤（Ｂｒｉｊ３５、ＣＨＡＰＳ、ＴｒｉｔｏｎＸ−１００、Ｔｗｅｅｎ２０）、アミノ酸であるＬ−アルギニン（Ｌ−Ａｒｇ）、タンパク質であるウシ血清アルブミン（ＢＳＡ）、及びＬｉｐｉｄｕｒｅ  ＢＬ２０６を用いた。表５は、被験試料を前処理液及び希釈液で１０万倍希釈して測定した場合のヒトヘモグロビン測定値（ｎｇ／ｍＬ）を示した。
【００８６】
【表５】
2018072045.tif 000006
【００８７】
添加剤なし及びＣＨＡＰＳを含む前処理液を用いた場合では汗と混合した血液からヒトヘモグロビンは検出されなかった。一方、Ｌ−Ａｒｇ、Ｌｉｐｉｄｕｒｅ  ＢＬ２０６、ＴｒｉｔｏｎＸ−１００、Ｔｗｅｅｎ２０を含む前処理液では、汗と混合した血液から３０ｎｇ／ｍＬ以上のヒトヘモグロビンが検出された。Ｌ−Ａｒｇを含む前処理液を使用した場合では、より顕著にヒトヘモグロビンの検出が可能であった。
【００８８】
次に、Ｌ−Ａｒｇ含有量の異なる前処理液を使用して、上記同様に汗と混合した血液について人血検査を実施した。表６は、被験試料を前処理液及び希釈液で１０万倍に希釈した場合の汗と混合した血痕中のヒトヘモグロビン測定値（ｎｇ／ｍＬ）を示した。
【００８９】
【表６】
2018072045.tif 000007
【００９０】
表６に示すとおり、前処理液中にＬ−Ａｒｇを含まない場合、ヒトヘモグロビンは検出されなかった。これに対し、Ｌ−Ａｒｇを２５〜２００ｍＭ含む場合、ヒトヘモグロビンが検出され、Ｌ−Ａｒｇを５０〜２００ｍＭ含む場合、より高感度に検出された。
【００９１】
〔実施例７：変性剤の効果〕
グアニジン塩酸塩等の各種変性剤を含む場合の効果について調べるため、被験試料として２６年間室温保存された陳旧血痕が付着したガーゼ糸１ｃｍを１本使用し、前処理希釈法の条件１で人血検査を実施した。表７は、前処理後、希釈液で１０倍希釈又は１００倍希釈した場合の被験試料中のヒトヘモグロビン測定値（ｎｇ／ｍＬ）を示した。
【００９２】
【表７】
2018072045.tif 000008
【００９３】
表７に示すとおり、グアニジン塩を含む場合、ヒトヘモグロビン検出がより高感度となった。
【００９４】
〔実施例７：希釈液成分の効果〕
実施例２と同様の手順で調製したＭＡ処理試料（９０日間乾燥）を前処理希釈法及び対照で人血検査を実施した。また、希釈液にＬｉｐｉｄｕｒｅ  ＢＬ１２０１を含まないこと以外は、前処理希釈法の条件１と同様の手順で、ＭＡ処理試料の人血検査を実施した。表８は、被験試料を前処理液及び希釈液で１０万倍に希釈した場合のＭＡ処理試料中のヒトヘモグロビン測定値（ｎｇ／ｍＬ）を示した。Ｌｉｐｉｄｕｒｅ  ＢＬ１２０１を希釈液中に含む場合をＬｉｐｉｄｕｒｅ  ＢＬ１２０１（＋）、希釈液中に含まない場合をＬｉｐｉｄｕｒｅ  ＢＬ１２０１（−）と記した。
【００９５】
【表８】
2018072045.tif 000009
【００９６】
表８に示すとおり、前処理希釈法では、希釈液にＬｉｐｉｄｕｒｅ  ＢＬ１２０１を含むことより、ヒトヘモグロビンの検出感度が向上することが示された。